(57)【要約】【課題】無線通信システムにおいてＭＢＭＳサービスを提供するための方法を提供する。【解決手段】本発明は、ＭＢＭＳサービスを提供するための方法に関し、方法は、事前設定された伝送電力量で、共通チャネル上のポイントツーマルチポイント伝送モードを使用するステップ１０６と、セル区域全体をカバーするのに必要とされる伝送電力量未満の値に設定された、事前設定された伝送電力量を使用する前記共通チャネル上のポイントツーマルチポイント伝送で、低いＭＢＭＳサービス品質を受信するセルＣＡ内のＵＥが存在するかどうかを検出するステップ１０８と、事前設定された伝送電力量を使用する前記共通チャネル上のポイントツーマルチポイント伝送で、低いＭＢＭＳサービス品質を受信している、そのような検出されたＵＥに対して、専用チャネル上のポイントツーポイント伝送モードを使用するステップ１１０とを含む。【選択図】      図２
2006135956.tif 000002
【特許請求の範囲】
【請求項１】
セル（ＣＡ）内でＭＢＭＳサービスを受信することを所望している複数のＵＥ（Ｔ１ないしＴｎ）と無線エアインタフェース（ＡＩ）を介して通信するモバイルネットワーク（Ｎ）を含む無線通信システムにおいて、ＭＢＭＳサービスを提供するための方法であって、
セル区域全体をカバーするのに必要とされる伝送電力量未満の値に設定された、事前設定された伝送電力量で、共通チャネル上のポイントツーマルチポイント伝送モードを使用するステップ（１０６、５０６）と
事前設定された伝送電力量を使用する前記共通チャネル上のポイントツーマルチポイント伝送で、低いＭＢＭＳサービス品質を受信するセル（ＣＡ）内のＵＥが存在するかどうかを検出するステップ（１０８、５０８）と、
検出されたＵＥに対して、専用チャネル上のポイントツーポイント伝送モードを使用するステップ（１１０、５１４）とを含む、方法。
【請求項２】
セル内でＭＢＭＳサービスを受信することを所望しているＵＥの数を数えるステップ（１００、５００）と、
ＵＥの前記数えられた数を第１の事前設定された値と比較し、かつセル（ＣＡ）内のＵＥの前記数えられた数が、前記事前設定された値以上である場合、共通チャネル上のポイントツーマルチポイント伝送モードを選択するステップ（１０２、５０２）とをさらに含む、請求項１に記載のＭＢＭＳサービスを提供するための方法。
【請求項３】
セル（ＣＡ）内のＵＥの数えられた数が、前記第１の事前設定された値未満である場合、専用チャネル上のポイントツーポイント伝送モードを選択するステップ（１０２、５０２）と、
セル内のＵＥに対して、専用チャネル上のポイントツーポイント伝送モードを使用するステップ（１０４、５０４）をさらに含む、請求項２に記載のＭＢＭＳサービスを提供するための方法。
【請求項４】
事前設定された伝送電力量を使用する前記共通チャネル上のポイントツーマルチポイント伝送で、低いＭＢＭＳサービス品質を受信するセル（ＣＡ）内のＵＥが存在するかどうかを検出するステップ（１０８、５０８）と、検出されたＵＥに対して、専用チャネル上のポイントツーポイント伝送モードを使用するステップ（１１０、５１４）との間で、
モバイルネットワーク（Ｎ）が、事前設定された伝送電力量を使用する共通チャネル上のポイントツーマルチポイント伝送で、低いＭＢＭＳサービス品質を受信するセル（ＣＡ）内のＵＥを検出し（１０８、５０８）、かつ低いＭＢＭＳサービス品質を受信しているセル（ＣＡ）内のＵＥの数えられた数が、第２の事前設定された値以上である（５１２）限り、
低いＭＢＭＳサービス品質を受信しているセル（ＣＡ）内の検出されたＵＥの数を数えるステップ（５１０）と、
低いＭＢＭＳサービス品質を受信しているセル（ＣＡ）内のＵＥの前記数えられた数を第２の事前設定された値と比較し、低いＭＢＭＳサービス品質を受信しているセル（ＣＡ）内のＵＥの数えられた数が、前記第２の事前設定された値以上である場合、伝送電力の増分を選択するステップ（５１２）と、
事前設定された伝送電力増分量で、共通チャネル上のポイントツーマルチポイント伝送モード用の伝送電力量を増分するステップ（５１６）とをさらに含む、請求項１に記載のＭＢＭＳサービスを提供するための方法。
【請求項５】
セル（ＣＡ）内でＭＢＭＳサービスを受信することを所望している複数のＵＥ（Ｔ１ないしＴｎ）と無線エアインタフェース（ＡＩ）を介して通信するための手段を含む、基地局などの、モバイルネットワーク（Ｎ）のネットワーク要素であって、
セル区域全体をカバーするのに必要とされる伝送電力量未満の値に設定された、事前設定された伝送電力量で、共通チャネル上のポイントツーマルチポイント伝送モードを使用し（１０６、５０６）、
事前設定された伝送電力量を使用する前記共通チャネル上のポイントツーマルチポイント伝送で、低いＭＢＭＳサービス品質を受信するセル（ＣＡ）内のＵＥが存在するかどうかを検出し（１０８、５０８）、かつ
事前設定された伝送電力量を使用する前記共通チャネル上のポイントツーマルチポイント伝送で、低いＭＢＭＳサービス品質を受信している検出されたＵＥに対して、専用チャネル上のポイントツーポイント伝送モードを使用する（１１０、５１４）ように構成されたネットワーク要素。
【請求項６】
セル内でＭＢＭＳサービスを受信することを所望しているＵＥの数を数え（１００、５００）、かつ
ＵＥの前記数えられた数を第１の事前設定された値と比較し、セル（ＣＡ）内のＵＥの前記数えられた数が、前記第１の事前設定された値以上である場合、共通チャネル上のポイントツーマルチポイント伝送モードを選択する（１０２、５０２）ようにさらに構成された、請求項５に記載のネットワーク要素。
【請求項７】
セル（ＣＡ）内のＵＥの数えられた数が、前記第１の事前設定された値未満である場合、専用チャネル上のポイントツーポイント伝送モードを選択し（１０２、５０２）、かつ
セル内のＵＥに対して、専用チャネル上のポイントツーポイント伝送モードを使用する（１０４、５０４）ようにさらに構成された、請求項６に記載のネットワーク要素。
【請求項８】
モバイルネットワーク（Ｎ）が、事前設定された伝送電力量を使用する共通チャネル上のポイントツーマルチポイント伝送で、低いＭＢＭＳサービス品質を受信するセル（ＣＡ）内のＵＥを検出し（１０８、５０８）、かつ低いＭＢＭＳサービス品質を受信しているセル（ＣＡ）内のＵＥの数えられた数が、第２の事前設定された値以上である（５１２）限り、
低いＭＢＭＳサービス品質を受信しているセル（ＣＡ）内の検出されたＵＥの数を数え（５１０）、
低いＭＢＭＳサービス品質を受信しているセル（ＣＡ）内のＵＥの前記数えられた数を第２の事前設定された値と比較し、低いＭＢＭＳサービス品質を受信しているセル（ＣＡ）内のＵＥの数えられた数が、前記第２の事前設定された値以上である場合、伝送電力の増分を選択し（５１２）、かつ
事前設定された伝送電力増分量で、共通チャネル上のポイントツーマルチポイント伝送モード用の伝送電力量を増分する（５１６）ようにさらに構成された、請求項５に記載のネットワーク要素。
【請求項９】
無線エアインタフェース（ＡＩ）を介してモバイルネットワーク（Ｎ）と通信するための手段を含み、受信するＭＢＭＳサービス品質のレベルを示す報告メッセージをモバイルネットワーク（Ｎ）に伝送するように構成された、無線通信システムのユーザ機器（Ｔ１ないしＴｎ）。
【発明の詳細な説明】
【技術分野】
【０００１】
本発明は、無線通信システムに関し、より詳細には、ＭＢＭＳ（マルチメディアブロードキャスト／マルチキャストサービス）を提供するためのシステムおよび方法に関する。
【背景技術】
【０００２】
ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍｓ）として一般に知られているＧＳＭ（Ｇｌｏｂａｌ  Ｓｙｓｔｅｍｓ  ｆｏｒ  Ｍｏｂｉｌｅ  ｃｏｍｍｕｎｉｃａｔｉｏｎｓ）ネットワークの３Ｇ（第３世代）発展形態は、コアアクセスネットワークおよび無線アクセスネットワークにおいて、マルチキャスト機能およびブロードキャスト機能を導入する。そのようなＵＭＴＳ標準を開発する３ＧＰＰ（第３世代パートナーシッププロジェクト）において、この概念は、ＭＢＭＳ（マルチメディアマルチキャスト／ブロードキャストモードサービス）と呼ばれる。
【０００３】
ＭＢＭＳは、同一のデータが、単一の送信元エンティティから、例えば、ブロードキャスト−マルチキャストサービスセンタから、モバイルネットワークおよび無線エアインタフェースを介して、複数の受信者に、例えば、ＵＥ（ユーザ端末装置またはユーザ機器）に伝送される、単方向ポイントツーマルチポイントベアラサービスである。それらのサービスは、通常、ストリーミングビデオおよびストリーミングオーディオの形態であり、したがって大量の伝送リソースを要する。
【０００４】
セル内で特定のＭＢＭＳサービスを要求しているユーザまたはＵＥの数は、０から非常に多数まで様々である可能性があり、無線エアインタフェースリソースは、効率的な方法で使用されるべきであると考えられる必要がある。これは、ＭＢＭＳユーザが全く存在しないセル内では、ＭＢＭＳコンテンツは、全く伝送されないことになり、数名のＭＢＭＳユーザが存在するセル内では、その一組のユーザに効率的な方法でサービスを提供するのに適切な伝送技術または伝送モードが、使用されなければならないことを意味する。
【０００５】
基地局と、セル区域内でその基地局によるサービスを受ける複数のＵＥとの間におけるＭＢＭＳ無線エアインタフェースデータ配信のために、様々なタイプの伝送モードが使用されることが可能である。それらの伝送モードには、基地局が、ＭＢＭＳコンテンツを要求している各ＵＥに対して専用トランスポートチャネルを確立し、そのチャネルでデータを伝送する、「専用トランスポートチャネル」上の「ポイントツーポイント」伝送、または基地局が、そのＭＢＭＳサービスを要求しているセル内のすべてのＵＥによって受信される、単一の共通トランスポートチャネル上でデータを伝送する、「共通トランスポートチャネル」上の「ポイントツーマルチポイント」伝送が含まれることが可能である。
【０００６】
共通トランスポートチャネル上のポイントツーマルチポイント伝送を使用して、セル内の複数のＵＥにＭＢＭＳサービスを提供する場合、基地局は、ダウンリンクチャネルおよび符号リソースを節約するが、共通トランスポートチャネルの伝送電力を十分に高く設定して、伝送電力が、セル地域全体をカバーすることができるようにしなければならない。これは、ＵＥのほとんどに対して、電力レベルが不必要に高いという欠点を有し、干渉ももたらす。また、共通トランスポートチャネルの伝送電力を制御し、伝送電力をあるレベルに設定して、基地局から最も遠く離れている、ＭＢＭＳサービスを要求しているＵＥが、伝送を受信することができるが、サービスコンテンツに関心があるユーザが全く存在しない区域はカバーしないようにする方法を、開発することも提案されている。しかし、これは、ＭＢＭＳサービスを要求しているＵＥが、セル境界に位置している場合、電力カバレッジ問題を解決しない。
【０００７】
他方、専用チャネル上のポイントツーポイント伝送を使用してＭＢＭＳサービスを提供することは、基地局が、専用トランスポートチャネルの伝送電力をより効率的に制御することを可能にするが、これは、ＵＥに割り当てられるダウンリンクチャネルの数、および符号リソースの増加も意味し、伝送リソースの効率の低減を生じさせる。
【０００８】
また、セル内のＭＢＭＳサービスを受信することを所望するＭＢＭＳユーザの数に応じた、適応ＭＢＭＳ伝送技術も提案されている。同一のセル内でＭＢＭＳサービスを要求しているＵＥの数が、事前設定された数未満である場合、ＭＢＭＳサービスは、専用トランスポートチャネル上のポイントツーポイント伝送を使用して提供され、同一のセル内でＭＢＭＳサービスを受信しているＵＥの数が、事前設定された数を超えた場合、そのようなＭＢＭＳサービスは、共通トランスポートチャネル上のポイントツーマルチポイント伝送を使用して提供される。しかし、この解決法は、共通トランスポートチャネル上のポイントツーマルチポイント伝送モードを使用して、基地局から、ＭＢＭＳサービスを要求しているセル内のすべてのＵＥに、ＭＢＭＳサービスデータを配信する場合に、依然として、エアインタフェース無線伝送電力リソースを浪費する。
【発明の開示】
【発明が解決しようとする課題】
【０００９】
本発明の目的は、前述した技術的な問題を解決し、セル内で利用可能な無線エアインタフェースリソースの使用の効率を高めるために、改良されたＭＢＭＳサービス提供方法を提供することである。
【課題を解決するための手段】
【００１０】
この目的は、請求項１による無線通信システムにおいてＭＢＭＳサービスを提供するための方法、請求項５による、基地局などのモバイルネットワークのネットワーク要素、および請求項９によるＵＥによって達せられる。
【００１１】
本発明の基本的な着想は、ＭＢＭＳサービス伝送モードの構成を、セル内のＭＢＭＳユーザの位置、ならびにその位置に関連する数に応じて、動的に適応させることである。本発明は、一般に、非常にわずかなＭＢＭＳユーザだけが、セル境界区域に位置しているという知見を利用する。その結果、本発明は、確定したＭＢＭＳサービスを受信することを所望する多くのＭＢＭＳユーザが、基地局の近くで、セル内部区域に位置しており、そのようなＭＢＭＳサービスを要求している少数のＭＢＭＳユーザしか、セル境界区域に位置していないケースで、エアインタフェースセル無線リソース使用の効率を高める。
【００１２】
本発明の第１の好ましい実施形態によれば、ＭＢＭＳサービスは、あるセル内部区域内に（伝送電力に応じて）位置するＵＥをカバーするのに十分な、事前設定された伝送電力量で、共通トランスポートチャネル上のポイントツーマルチポイント伝送モードを使用して提供され、かつそのようなセル内部区域、または共通トランスポートチャネル上のポイントツーマルチポイント伝送カバレッジ区域の外に位置するＵＥに対して、専用チャネル上のポイントツーポイント伝送モードを使用して提供される。
【００１３】
本発明の第２の好ましい実施形態によれば、共通トランスポートチャネル上のポイントツーマルチポイントカバレッジ区域のサイズは、セル内でＭＢＭＳサービスを要求しているＵＥの分布、および関連する数に応じて拡大される。ＭＢＭＳサービスは、あるセル内部区域内、またはポイントツーマルチポイントカバレッジ区域内に位置するＵＥをカバーするのに十分な、共通トランスポートチャネル用の事前設定された伝送電力量で、共通トランスポートチャネル上のポイントツーマルチポイント伝送を使用して提供され、かつそのようなセル内部区域、またはポイントツーマルチポイントカバレッジ区域の外に位置するＵＥに対して、専用チャネル上のポイントツーポイント伝送を使用して提供される。さらに、ＭＢＭＳサービスを要求し、共通チャネル上のポイントツーマルチポイント伝送カバレッジ区域の外に位置するＵＥの数が、閾値を超えて増加したことをモバイルネットワークが検出した場合、基地局は、共通トランスポートチャネル上のポイントツーマルチポイント伝送カバレッジ区域を拡大するために、共通トランスポートチャネル用の伝送電力をある量だけ増加させる。共通トランスポートチャネル用の伝送電力のこの増加は、そのような共通トランスポートチャネル上のポイントツーマルチポイントカバレッジ区域の外に位置するＵＥの数が、その閾値を下回って減少するまで、連続的なステップで行われる。
【００１４】
本発明の有利な構成は、従属請求項、以下の説明、および図面から明らかとなる。例えば、提案する発明を使用することにより、セル内の伝送電力およびチャネルリソースを低減することができ、そのため、ＵＥ間の干渉が低減され、システム容量が増加させられることが、有利であると見なされる。本発明によってもたらされる無線リソース使用効率の利得により、セル内で同時により多くのＭＢＭＳを並行に提供すること、またはＭＢＭＳが、非ＭＢＭＳサービスに対して生じさせる容量低下を抑えることが可能になる。さらに、本発明は、ＭＢＭＳに関するソフトハンドオーバ利得を役立てることを可能にする、つまり、セル境界区域内に位置するＵＥに対する、専用チャネル上のポイントツーポイント通信用の伝送電力を、それらのＵＥが、通常、ソフトハンドオーバ状態に入るという事実のために、低減することができる。次に、本発明の実施形態の例を、図１から図６の助けを借りて説明する。
【発明を実施するための最良の形態】
【００１５】
図１は、複数のネットワーク要素ＮＥ１ないしＮＥｎ、ならびに複数のユーザ端末装置またはＵＥ  Ｔ１ないしＴｎを含むモバイル無線ネットワークＮが、無線エアインタフェースＡＩダウンリンクチャネルＤＣおよびアップリンクチャネルＵＣを介してデータ情報を交換する、無線通信システムのブロック図を示す。ネットワーク要素ＮＥ１ないしＮＥｎは、例えば、基地局またはノードＢ、無線ネットワークコントローラＲＮＣ、コアネットワークスイッチ、または無線モバイル通信のために一般に使用される、他の任意の通信要素であることが可能である。例えば、ＭＢＭＳサービスを提供する無線通信システムのケースでは、モバイルネットワークは、モバイルネットワークＮを介してＲＮＣにブロードキャスト／マルチキャストされるべきデータを伝送する、ブロードキャスト−マルチキャストサービスセンタも含む。次に、ＲＮＣが、ＭＢＭＳデータを、ＲＮＣに接続されたノードＢに伝送し、ノードＢが、最終的に、前記ノードＢによって管理されるセル地域内の無線エアインタフェースＡＩを介して、ＭＢＭＳサービスを要求しているＵＥにデータをブロードキャスト／マルチキャストする。
【００１６】
ＭＢＭＳは、ブロードキャストサービスおよびマルチキャストサービスを含む。ブロードキャストサービスは、コンテンツの性質とは無関係に、サービスのコンテンツを受信することを所望する多数のＵＥに向けられる。マルチキャストサービスは、あるコンテンツを受信することを所望する特定のグループのＵＥに向けられる。以下の説明では、ＭＢＭＳサービスについて述べる場合、以上に挙げたＭＢＭＳサービスの任意の１つと理解される。また、ＭＢＭＳサービスを要求しているＵＥは、同一のＭＢＭＳサービスを受信することを所望し、解決されるべき問題は、無線エアインタフェースＡＩリソースを効率的な形で使用するセルラーシステムにおけるＵＥグループへの、同一のコンテンツの伝送である。
【００１７】
図２は、本発明の第１の実施形態による、セル内の目標ＵＥの位置および数に基づいてＭＢＭＳサービスを提供するための、図１に示したモバイルネットワークＮの動作プロセスを示す流れ図である。
【００１８】
第１のステップ１００で、モバイルネットワークは、セル内でＭＢＭＳサービスを要求しているＵＥの数を数え、後続のステップ１０２で、モバイルネットワークは、そのような数を、例えば、３であることが可能な、事前設定された値と比較する。この事前設定された値は、無線セル計画計算に応じて、モバイルネットワークのオペレータによって決められることが可能である。
【００１９】
ステップ１０２の条件が満たされない場合、つまり、セル内でＭＢＭＳサービスを要求しているＵＥの数が、事前設定された値未満、例えば、３未満である場合、モバイルネットワークは、専用チャネル上のポイントツーポイント伝送モードを選択し、ＭＢＭＳデータをそれらのＵＥに配信するために、専用チャネル上のポイントツーポイント伝送モードを使用することにより、ステップ１０４を進め、例えば、２つのＵＥが、その時点で、２つのＵＥの各ＵＥ向けの専用チャネルを介して、モバイルネットワークから同一のコンテンツを受信する。
【００２０】
ステップ１０４の後、モバイルネットワークは、ＭＢＭＳ提供方法の開始に進み、ＭＢＭＳサービスを要求しているＵＥの数が変化したかどうかを検出する。
【００２１】
反対に、ステップ１０２の条件が満たされた場合、つまり、セル内でＭＢＭＳサービスを要求しているＵＥの数が、事前設定された値以上、例えば、３以上である場合、モバイルネットワークは、共通チャネル上のポイントツーマルチポイント伝送モードを選択し、共通チャネル上のポイントツーマルチポイント伝送モードを使用することにより、ステップ１０６を進める。やはり、本発明によれば、ステップ１０６においてモバイルネットワークは、事前設定された電力量を使用して、共通トランスポートチャネル上で伝送する。共通トランスポートチャネル用の事前設定された伝送電力量は、無線セル計画計算に基づいてモバイルネットワークのオペレータによって決められることが可能であり、好ましくは、基地局セル区域全体をカバーするのに必要とされる伝送電力量未満の値に設定される。これを行うことにより、ＭＢＭＳ伝送は、基地局近くの、あるセル内部区域内に位置するすべてのＵＥをカバーし、その区域は、好ましくは、セル区域より小さく、ＭＢＭＳ伝送は、セル内に、ただし、セル内部区域の外に位置しているＵＥをカバーしないか、または非常に少ない電力で、そのようなＵＥに到達する。セル内部区域のサイズは、共通トランスポートチャネル上のポイントツーマルチポイント伝送によってカバーされる区域のサイズであり、共通トランスポートチャネル用に使用される伝送電力に、つまり、ステップ１０６で使用される前記事前設定された電力量に直接に応じる。
【００２２】
共通トランスポートチャネル上のＭＢＭＳポイントツーマルチポイントカバレッジ区域の外に位置するＵＥは、存在する場合、ＭＢＭデータを受信しないか、またはデータの受信に要求されるより低い品質レベルで、ＭＢＭデータを受信する。この理由で、ステップ１０８においてモバイルネットワークは、ＭＢＭＳサービスコンテンツを受信しないか、または低いサービス品質でＭＢＭＳサービスコンテンツを受信する、セル内に位置するＵＥを探す。ステップ１０８で、モバイルネットワークは、低いＭＢＭＳサービス品質を受信するＵＥを全く検出しない場合、ＭＢＭＳ提供方法の開始に進み、ＭＢＭＳサービスを要求しているＵＥの数および位置が変化したかどうかを検出する。反対に、ステップ１０８で、モバイルネットワークが、低いＭＢＭＳサービス品質を受信しているＵＥを検出した場合、モバイルネットワークは、専用トランスポートチャネル上のポイントツーポイント伝送モードを選択し、低いＭＢＭＳサービス品質を報告しているその特定のＵＥに対して、専用チャネル上のポイントツーポイント伝送モードを使用することにより、ステップ１１０で方法を進める。モバイルネットワークは、低いサービス品質を受信しているセル内のＵＥが存在しなくなるまで、ステップ１０８およびステップ１１０を繰り返す。
【００２３】
もちろん、前述した、ＭＢＭＳサービスを提供するための方法の第１の実施形態は、必ずしもすべてのステップを含む必要はないことを理解されたい。例えば、ＭＢＭＳサービスを受信することを所望しているセル内のＵＥの数とは無関係に、単に、ステップ１０６、ステップ１０８、およびステップ１１０を使用することにより、ＭＢＭＳサービスを提供することが好ましい可能性がある。
【００２４】
図３は、本発明の第１の実施形態による、セル区域ＣＡ内のＭＢＭＳサービス提供方法の第１の例を概略で示す。図１に示したモバイルネットワークＮが、無線エアインタフェースセル区域ＣＡを介して、ＭＢＭＳサービスを受信することを所望している３つのＵＥ  Ｔ１ないしＴ３に、ＭＢＭＳサービスデータを配信することを担う基地局ＢＳを含む。
【００２５】
モバイルネットワークは、セル区域ＣＡ内の目標ＵＥ  Ｔ１ないしＴ３の位置および数に基づいてＭＢＭＳサービスを提供するために、図２に示すとおり、本発明に従って動作する。モバイルネットワークは、図２のステップ１０２で、セル区域ＣＡ内のＵＥの数を、例えば、３に設定されている、事前設定された値と比較すると、あるセル内部区域ＩＡ内に位置するＵＥをカバーするのに十分な、共通トランスポートチャネル用の事前設定された伝送電力量で、ＭＢＭＳデータを３つのＵＥ  Ｔ１ないしＴ３に配信するために、共通チャネル上のポイントツーマルチポイント伝送モードを使用することにより、図２のステップ１０６に進む。セル内部区域ＩＡは、共通チャネル上のＭＢＭＳポイントツーマルチポイント伝送カバレッジ区域であり、好ましくは、セル区域ＣＡより小さい。図３の例では、ＭＢＭＳサービスを受信しているすべてのＵＥ  Ｔ１ないしＴ３は、そのようなセル内部区域ＩＡ内に位置しているので、それらＵＥ  Ｔ１ないしＴ３は、受信のための十分な品質でサービスを受信する。図２のステップ１０８においてモバイルネットワークは、低いＭＢＭＳサービス品質を受信するＵＥを全く検出せず、ＭＢＭＳサービス提供方法の開始に進み、ＭＢＭＳサービスを要求しているＵＥの数および位置が変化したかどうかを検出する。
【００２６】
図４は、本発明の第１の実施形態による、セル区域ＣＡ内のＭＢＭＳサービス提供方法の第２の例を概略で示す。図１に示したモバイルネットワークＮが、無線エアインタフェースセル区域ＣＡを介して、ＭＢＭＳサービスを受信することを所望している５つのＵＥ  Ｔ１ないしＴ５に、ＭＢＭＳサービスデータを配信することを担う基地局ＢＳを含む。
【００２７】
モバイルネットワークは、セル区域ＣＡ内の目標ＵＥ  Ｔ１ないしＴ５の位置および数に基づいてＭＢＭＳサービスを提供するために、図２に示すとおり、本発明に従って動作する。モバイルネットワークは、図２のステップ１０２で、セル区域ＣＡ内のＵＥの数を、例えば、３に設定されている、事前設定された値と比較すると、あるセル内部区域ＩＡ内に位置するＵＥをカバーするのに十分な、共通トランスポートチャネル用の事前設定された伝送電力量で、ＭＢＭＳデータを５つのＵＥ  Ｔ１ないしＴ５に配信するために、共通チャネル上のポイントツーマルチポイント伝送モードを使用することにより、図２のステップ１０６に進む。セル内部区域ＩＡは、共通チャネル上のＭＢＭＳポイントツーマルチポイント伝送カバレッジ区域であり、好ましくは、セル区域ＣＡより小さい。図４の例では、３つだけのＵＥ  Ｔ１ないしＴ３が、そのようなセル内部区域ＩＡ内に位置しているため、ＵＥ  Ｔ１ないしＴ３は、受信のための十分な品質でサービスを受信する。他方、セル内部区域ＩＡと、セル区域ＣＡの外側境界限度との間の境界区域ＢＡ内に位置する残りのＵＥ  Ｔ４およびＴ５は、ＭＢＭＳデータを受信しないか、または低いサービス品質でＭＢＭＳデータを受信する。図２のステップ１０８においてモバイルネットワークは、低いＭＢＭＳサービス品質を受信しているセルＣＡ内のＵＥが存在することを検出し、それらの特定のＵＥ  Ｔ４およびＴ５に対して、専用チャネル上のポイントツーポイント伝送モードを使用することにより、低いサービス品質を受信しているＵＥが全く存在しない限り、図２のステップ１１０を進める。その後、モバイルネットワークは、ＭＢＭＳサービス提供方法の開始に進み、ＭＢＭＳサービスを要求しているＵＥの数および位置が変わっているかどうかを検出する。
【００２８】
図５は、本発明の第２の実施形態による、セル内の目標ＵＥの位置および数に基づいてＭＢＭＳサービスを提供するための、図１に説明したモバイルネットワークＮの動作プロセスを示す流れ図である。
【００２９】
第１のステップ５００で、モバイルネットワークは、セル内でＭＢＭＳサービスを要求しているＵＥの数を数え、後続のステップ５０２で、モバイルネットワークは、そのような数を、例えば、３であることが可能な、第１の事前設定された値と比較する。この第１の事前設定された値は、無線セル計画計算に応じて、モバイルネットワークのオペレータによって決められることが可能である。
【００３０】
ステップ５０２の条件が満たされない場合、つまり、セル内でＭＢＭＳサービスを要求しているＵＥの数が、事前設定された値未満、例えば、３未満である場合、モバイルネットワークは、専用チャネル上のポイントツーポイント伝送モードを選択し、ＭＢＭＳデータをそれらのＵＥに配信するために、専用チャネル上のポイントツーポイント伝送モードを使用することにより、ステップ５０４を進め、例えば、２つのＵＥが、その時点で、２つのＵＥの各ＵＥ向けの専用チャネルを介して、モバイルネットワークから同一のコンテンツを受信する。ステップ５０４の後、モバイルネットワークは、ＭＢＭＳ提供方法の開始に進み、ＭＢＭＳサービスを要求しているＵＥの数が変化したかどうかを検出する。
【００３１】
反対に、ステップ５０２の条件が満たされた場合、つまり、セル内でＭＢＭＳサービスを要求しているＵＥの数が、第１の事前設定された値以上、例えば、３以上である場合、モバイルネットワークは、共通チャネル上のポイントツーマルチポイント伝送モードを選択し、ＭＢＭＳデータを配信するために共通チャネル上のポイントツーマルチポイント伝送モードを使用することにより、ステップ５０６を進める。やはり、本発明によれば、ステップ５０６においてモバイルネットワークは、事前設定された伝送電力量を使用して、共通トランスポートチャネル上で伝送する。共通トランスポートチャネル用の事前設定された伝送電力量は、無線セル計画計算に基づいてモバイルネットワークのオペレータによって決められることが可能であり、好ましくは、基地局セル区域全体をカバーするのに必要とされる伝送電力量未満の値に設定される。これを行うことにより、ＭＢＭＳ伝送は、基地局近くの、あるセル内部区域内に位置するすべてのＵＥをカバーし、その区域は、好ましくは、セル区域より小さく、ＭＢＭＳ伝送は、セル内に、ただし、セル内部区域の外に位置しているＵＥをカバーしないか、または非常に少ない電力で、そのようなＵＥに到達する。セル内部区域のサイズは、共通トランスポートチャネル上のポイントツーマルチポイント伝送によってカバーされる区域のサイズであり、共通トランスポートチャネル用に使用される伝送電力に、つまり、ステップ５０６で使用される前記事前設定された電力量に直接に応じる。
【００３２】
共通トランスポートチャネル上のＭＢＭＳポイントツーマルチポイントカバレッジ区域の外に位置するＵＥは、存在する場合、ＭＢＭデータを受信しないか、またはデータの受信に要求されるより低い品質レベルで、ＭＢＭデータを受信する。この理由で、ステップ５０８においてモバイルネットワークは、ＭＢＭＳサービスコンテンツを受信しないか、または低いサービス品質でＭＢＭＳサービスコンテンツを受信する、セル内に位置するＵＥを探す。ステップ５０８で、モバイルネットワークは、低いＭＢＭＳサービス品質を受信するＵＥを全く検出しない場合、ＭＢＭＳ提供方法の開始に進み、ＭＢＭＳサービスを要求しているＵＥの数および位置が変化したかどうかを検出する。反対に、ステップ５０８で、モバイルネットワークが、低いＭＢＭＳサービス品質を受信しているＵＥを検出した場合、モバイルネットワークは、低いサービス品質を報告しているＵＥの数を数えることにより、ステップ５１０で方法を進める。
【００３３】
方法は、ステップ５１２に進み、モバイルネットワークが、低いＭＢＭＳサービス品質を受信しているＵＥのその数を、例えば、３であることが可能な、第２の事前設定された値と比較する。この第２の事前設定された値は、無線セル計画計算に応じて、モバイルネットワークのオペレータによって決められることが可能である。ステップ５１２の条件が満たされない場合、つまり、セル内の、低いＭＢＭＳサービス品質を経験するＵＥの数が、第２の事前設定された値未満、例えば、３未満である場合、モバイルネットワークは、専用チャネル上のポイントツーポイント伝送モードを選択し、低いＭＢＭＳサービス品質を報告しているそれらの特定のＵＥに対して、専用チャネル上のポイントツーポイント伝送モードを使用することにより、ステップ５１４を進める。ステップ５１４の後、モバイルネットワークは、ＭＢＭＳ提供方法の開始に進み、ＭＢＭＳサービスを要求しているＵＥの数および位置が変わっているかどうかを検出する。
【００３４】
反対に、ステップ５１２の条件が満たされた場合、つまり、セル内で低いＭＢＭＳサービス品質を受信しているＵＥの数が、第２の事前設定された値以上、例えば、３以上である場合、モバイルネットワークは、伝送電力の増分を選択し、事前設定された伝送電力増分量だけ、共通トランスポートチャネル用の伝送電力を増分することにより、ステップ５１６を進める。共通トランスポートチャネル伝送電力を増分するための事前設定された伝送電力増分量も、無線セル計画計算に基づいてモバイルネットワークのオペレータによって決められることが可能であり、好ましくは、使用されている伝送電力の現在の値に加えられると、基地局セル区域全体をカバーするのに必要とされる伝送電力量未満である値に設定される。これを行うことにより、セル内部区域のサイズも、共通トランスポートチャネル電力増加に直接に応じるステップだけ増分される。ステップ５１６の後、モバイルネットワークは、ステップ５０８に進み、電力増加後に低いサービス品質を受信しているＵＥを検出する。共通トランスポートチャネル用の伝送電力の増加は、ステップ５０８またはステップ５１２の条件が満たされなくなるまで、連続的な方法で行われる。
【００３５】
もちろん、前述したＭＢＭＳサービスを提供するための方法の第２の実施形態は、必ずしもすべてのステップを含む必要がないことは理解されたい。例えば、単に、ステップ５０６、５０８、５１０、５１２、５１４、および５１６を使用することにより、ＭＢＭＳサービスを提供することが好ましい可能性がある。
【００３６】
図６は、本発明の第２の実施形態によるセル区域ＣＡ内におけるＭＢＭＳサービス提供方法の例を概略で示す。図１に示したモバイルネットワークＮが、無線エアインタフェースセル区域ＣＡを介して、ＭＢＭＳサービスを受信することを所望している６つのＵＥ  Ｔ１ないしＴ６に、ＭＢＭＳサービスデータを配信することを担う基地局ＢＳを含む。
【００３７】
モバイルネットワークは、セル区域ＣＡ内の目標ＵＥ  Ｔ１ないしＴ６の位置および数に基づいてＭＢＭＳサービスを提供するために、図５に示したとおり、本発明に従って動作する。モバイルネットワークは、図５のステップ５０２で、セル区域ＣＡ内のＵＥの数を、例えば、３に設定されている、第１の事前設定された値と比較すると、次に、ある第１のセル内部区域ＩＡ１内に位置するＵＥをカバーするのに十分な、共通トランスポートチャネル用の事前設定された伝送電力量で、ＭＢＭＳデータを６つのＵＥ  Ｔ１ないしＴ６に配信するために、共通チャネル上のポイントツーマルチポイント伝送モードを使用することにより、図５のステップ５０６に進む。第１のセル内部区域ＩＡ１は、共通チャネル上のＭＢＭＳポイントツーマルチポイント伝送カバレッジ区域であり、好ましくは、セル区域ＣＡより小さい。図６の例では、３つのＵＥ  Ｔ１なしＴ３は、そのような第１のセル内部区域ＩＡ１内に位置しているので、受信のための十分な品質でサービスを受信する。他方、第１のセル内部区域ＩＡ１の外に位置している残りのＵＥ  Ｔ４ないしＴ６は、ＭＢＭＳデータを受信しないか、または低いサービス品質でＭＢＭＳデータを受信する。図５のステップ５０８においてモバイルネットワークは、セルＣＡ内に、低いＭＢＭＳサービス品質を受信しているＵＥが存在することを検出し、図５のステップ５１０に進んで、図６の例では、３つ、ＵＥ  Ｔ４ないしＴ６である、低いサービス品質を受信しているＵＥの数を数える。その後、モバイルネットワークは、図５のステップ５１２で、セル内で低いＭＢＭＳサービス品質を受信しているＵＥの数を、例えば、３に設定されている、第２の事前設定された値と比較し、次に、事前設定された伝送電力増分量だけ、共通トランスポートチャネル用の伝送電力を増分することにより、図５のステップ５１６に進む。これを行うことにより、共通チャネル上のポイントツーマルチポイント伝送カバレッジ区域、つまり、第１のセル内部区域ＩＡ１のサイズが、現時点で、別のＵＥ  Ｔ５をカバーする、第２のセル内部区域ＩＡ２まで増分され、ＵＥ  Ｔ５は、受信のための十分な品質で、共通チャネル上でサービスを受信する。さらに、図６の例では、さらに２つのＵＥ  Ｔ４およびＴ６が、新たな共通チャネル上のポイントツーマルチポイント伝送カバレッジ区域、つまり、第２のセル内部区域ＩＡ２の外に位置しているので、図５のステップ５０８においてモバイルネットワークは、低いＭＢＭＳサービス品質を受信しているＵＥが、依然、存在していることを検出し、ステップ５１０で、それらのＵＥの数を数える。図５のステップ５１２の条件は、満たされない。というのは、低品質サービスを受信している２つだけのＵＥ  Ｔ４およびＴ６が存在しているからであり、それらの特定のＵＥ  Ｔ４およびＴ６に対して、専用チャネル上のポイントツーポイント伝送モードを使用することにより、図２のステップ５１４を進める。その後、モバイルネットワークは、ＭＢＭＳサービスを要求しているＵＥの数および位置が変わっているかどうかを検出するため、ＭＢＭＳ提供方法の開始に進む。
【００３８】
一般化のため、本明細書で説明する、ＭＢＭＳ機能を有する無線通信システムにおいて、ＭＢＭＳサービスを提供するための方法、または方法の一部のステップを実行する手段は、モバイルネットワークのどこにでも配置することができ、つまり、基地局内、ＲＮＣ内、あるいはモバイルネットワークの任意のネットワーク要素内、またはリソースマネージャエンティティ内に配置することができる。前記手段は、ハードウェアの形態、またはソフトウェアの形態で実施される。モバイルネットワークは、独自の手段を使用して、またはＵＥからのメッセージを受信して、ＵＥが、低いＭＢＭＳサービス品質を受信しているかどうかを検出することができる。
【図面の簡単な説明】
【００３９】
【図１】複数のＵＥと通信するモバイルネットワークを含む従来の無線通信システムを示すブロック図である。
【図２】本発明の第１の実施形態によるＭＢＭＳサービスを提供するためのモバイルネットワークの動作プロセスを示す流れ図である。
【図３】本発明の第１の実施形態によるセル内にＭＢＭＳサービス提供する第１の例を概略で示す図である。
【図４】本発明の第１の実施形態によるセル内にＭＢＭＳサービス提供する第２の例を概略で示す図である。
【図５】本発明の第２の実施形態によるＭＢＭＳサービスを提供するためのモバイルネットワークの動作プロセスを示す流れ図である。
【図６】本発明の第２の実施形態によるセル内にＭＢＭＳサービス提供する例を概略で示す図である。
【符号の説明】
【００４０】
ＢＡ  境界区域
ＢＳ  基地局
ＣＡ  セル区域
ＩＡ、ＩＡ１、ＩＡ２  セル内部区域
Ｔ１、Ｔ２、Ｔ３、Ｔ４、Ｔ５、Ｔ６、Ｔｎ  ユーザ端末装置
ＡＩ  無線インタフェース
Ｎ  モバイルネットワーク
ＮＥ  ネットワーク要素
ＤＣ  ダウンリンクチャネル
ＵＣ  アップリンクチャネル
【図１】
2006135956.tif 000003
【図２】
2006135956.tif 000004
【図３】
2006135956.tif 000005
【図４】
2006135956.tif 000006
【図５】
2006135956.tif 000007
【図６】
2006135956.tif 000008
【外国語明細書】
2006135956.tif 000009
2006135956.tif 000010
2006135956.tif 000011
2006135956.tif 000012
2006135956.tif 000013
2006135956.tif 000014
2006135956.tif 000015
2006135956.tif 000016
2006135956.tif 000017
2006135956.tif 000018
2006135956.tif 000019
2006135956.tif 000020
2006135956.tif 000021
2006135956.tif 000022
2006135956.tif 000023
2006135956.tif 000024
2006135956.tif 000025
2006135956.tif 000026
2006135956.tif 000027
2006135956.tif 000028
2006135956.tif 000029
2006135956.tif 000030
2006135956.tif 000031
2006135956.tif 000032
2006135956.tif 000033
2006135956.tif 000034
2006135956.tif 000035
2006135956.tif 000036
2006135956.tif 000037